(57)【特許請求の範囲】
【請求項１】
芯線が絶縁帯により両側から被覆されたフラットケーブル上にランプ管を沿わせ、該ランプ管の先端部に設けられた導電部と、前記フラットケーブルの先端で露出せしめた前記芯線とを電気的に接続せしめたバックライト用光源において、
前記フラットケーブルは前記ランプ管の先端部を越えて長さ方向に延設されており、その延設部分で前記絶縁帯から露出する芯線と、前記ランプ管の前記先端部とを覆って接続材を被着してあることを特徴とするバックライト用光源。
【請求項２】
前記フラットケーブルの延設部分は、前記ランプ管に遠い側の前記絶縁帯を残して前記芯線を露出せしめてあり、前記接続材は前記延設部分の芯線を覆って前記絶縁帯上に被着してある請求項１記載のバックライト用光源。
【請求項３】
前記接続材として半田を溶着してある請求項１又は２記載のバックライト用光源。
【請求項４】
少なくとも、請求項１乃至３のいずれかに記載の光源と、該光源にその端面を対向せしめて配した導光板とを備えることを特徴とするバックライト。
【発明の詳細な説明】
【０００１】
【発明の属する技術分野】
本発明は液晶ディスプレイのような表示装置，看板等に用いられるバックライト用光源及びそれを備えるバックライトに関し、特にランプ管とフラットケーブルとの接続の態様に関する。
【０００２】
【従来の技術】
液晶テレビジョン，携帯用パーソナルコンピュータ等の液晶表示装置用のバックライトは、導光板の端面に対向して線状光源を配しており、線状光源からの照射光が導光板を介して液晶表示装置を照射する。線状光源は例えば管径２mm，長さ300mm の直管状の蛍光ランプ管（以下、ランプ管という）と、該ランプ管に電力を供給するケーブルとで構成されている。ケーブルは芯線の周囲を絶縁材で被覆した丸線ケーブルであり、ランプ管の両端に設けられた電極と丸線ケーブルの芯線とが電気的に接続されてランプ管に電流が供給されるようになっている。
【０００３】
近年、液晶表示装置の需要が増加し、液晶表示画面が大型化すると共に装置の狭額縁化が要求されている。それに伴い、導線ケーブルを収納するスペースを縮小するため、丸線ケーブルに代えてフラットケーブルを使用するようになった。図３は、従来のバックライト用の光源の構造を示す模式的断面図である。図中１はスペーサタイプのランプ管であり、電極（図示せず）に通電する導電部１ａがランプ管１の両端部に平坦状に設けられている。フラットケーブル２０は金属製の芯線２を被覆帯３，３で両側から覆った構成をなし、ランプ管１はフラットケーブル２０上に長さ方向を同じくして配されている。フラットケーブル２０はランプ管１よりも長く、その一端側では下層の被覆帯３ａを残し、上層の被覆帯を剥離して芯線２を露出させてあり、この被覆帯３ａと露出芯２ａとをランプ管１側にＬ字状に折り曲げてある。ランプ管１の導電部１ａとこれに対面する露出芯２ａとの間に半田４０が充填されており、半田４０を介してランプ管１とフラットケーブル２０とが電気的に接続されている。
【０００４】
【発明が解決しようとする課題】
以上の如き構成のランプ管は、導電部１ａと露出芯２ａとの間隔が小さいために、半田付けの作業の際に被覆帯３ａに半田が付着し易い。その結果、被覆帯３ａが損傷し、被覆帯３ａが露出芯２ａから剥離したり、導電部１ａと露出芯２ａとの接続が不完全になったりするという問題があった。
【０００５】
リードタイプのランプ管を用いた場合は、上述した如き問題は解消される。図４はリードタイプのランプ管を用いたバックライト用の光源の構造を示す模式的断面図である。図４に示すように、ランプ管１の端部には導電部となるリード棒１ｂが突出されている。リード棒１ｂはＬ字状を有し、後述するフラットケーブル２０の貫通孔にその先端が嵌入されている。フラットケーブル２０は金属製の芯線２を両側から被覆帯３，３で覆った構成をなし、ランプ管１はフラットケーブル２０上に長さ方向を同じくして配されている。フラットケーブル２０はランプ管１よりも長く延設されており、その延設部分では下層の被覆帯３ａを残し、上層の被覆帯が剥離されて芯線２が露出されており、この被覆帯３ａと露出芯２ａとは長さ方向に延設されている。露出芯２ａ及び被覆帯３ａにはリード棒１ｂを通すための貫通孔が設けられている。半田４０がリード棒１ｂと露出芯２ａとの貫通部分を覆っており、ランプ管１とフラットケーブル２０とが電気的に接続されている。
【０００６】
このようにリードタイプのランプ管１を用いた場合は、フラットケーブル２０の延設部分とランプ管１の先端部との間隔が広いので、露出芯２ａ上に半田４０を溶着させる作業が容易になり、被覆帯３ａが損傷することがなく、ランプ管１とフラットケーブル２０との電気的接続が確実となる。しかしながら、リード棒１ｂをフラットケーブル２０の貫通孔に通す工程が別に必要である。またリード棒１ｂの先端がフラットケーブル２０から突出するのでランプ管１とフラットケーブル２０とが非平行になり、収納スペースの縮小化が図れないという問題があった。
【０００７】
本発明は、かかる事情に鑑みてなされたものであり、導電部をフラットケーブルに貫通せしめることなく、且つ、容易な作業でランプ管とフラットケーブルとを接続でき、フラットケーブルの破損及び変形を防止して、電気的接続が確実になされたバックライト用光源及びそれを備えるバックライトを提供することを目的とする。
【０００８】
【課題を解決するための手段】
第１発明に係るバックライト用光源は、芯線が絶縁帯により両側から被覆されたフラットケーブル上にランプ管を沿わせ、該ランプ管の先端部に設けられた導電部と、前記フラットケーブルの先端で露出せしめた前記芯線とを電気的に接続せしめたバックライト用光源において、前記フラットケーブルは前記ランプ管の先端部を越えて長さ方向に延設されており、その延設部分で前記絶縁帯から露出する芯線と、前記ランプ管の前記先端部とを覆って接続材を被着してあることを特徴とする。
【０００９】
第１発明にあっては、フラットケーブルがランプ管の長さ方向に延設されているので、露出した芯線はランプ管と略平行に延びている。その結果、ランプ管の先端部と露出された芯線との間隔が十分にあり、接続材をランプ管の先端部と芯線とを覆うように被着する作業が容易になってフラットケーブルの破損，変形が防止される。また、導電部が設けられたランプ管の先端部を覆って接続材を被着してあるので、導電部をフラットケーブルに貫通せしめることなく、導電部と芯線とが電気的に接続される。
【００１０】
第２発明に係るバックライト用光源は、第１発明において、前記フラットケーブルの延設部分は、前記ランプ管に遠い側の前記絶縁帯を残して前記芯線を露出せしめてあり、前記接続材は前記延設部分の芯線を覆って前記絶縁帯上に被着してあることを特徴とする。
【００１１】
第２発明にあっては、フラットケーブルの芯線は極めて細いのでフラットケーブルの強度を保つために一側の被覆帯を残して他側を剥離し、芯線をランプ管側に露出させてある。延設部分の露出した芯線及び絶縁帯の上に接続材を被着させることにより、容易な作業で芯線とランプ管の導電部とを接続できる。
【００１２】
第３発明に係るバックライト用光源は、第１又は第２発明において、前記接続材として半田を溶着してあることを特徴とする。
【００１３】
第３発明にあっては、上述した如く、ランプ管の先端部と露出された芯線との間隔が十分にあるので、目的の領域に半田を溶着させることができ、高温の半田によりフラットケーブルを損傷させることがない。
【００１４】
第４発明に係るバックライトは、少なくとも、第１乃至第３発明のいずれかに記載の光源と、該光源にその端面を対向せしめて配した導光板とを備えることを特徴とする。
【００１５】
第４発明にあっては、ランプ管とフラットケーブルとの間の電気的接続が確実な光源を用いるので、高性能なバックライトを得る。
【００１６】
【発明の実施の形態】
以下、本発明をその実施の形態を示す図面に基づき具体的に説明する。
図１は本発明に係る光源を用いたバックライトの要部の構成を示す斜視図である。図中１００は本実施の形態に示す線状光源であり、直管状のランプ管１と、その下側に沿わせたフラットケーブル２０と、ランプ管１の両端部を夫々覆うカバー８，９と、ランプ管１に電流を供給するコード７，７とを備えて構成されている。ランプ管１は管径２mm，長さ300mm のスペーサタイプの蛍光ランプであり、ランプ管１と所定距離を隔ててその端面を対向せしめる態様で導光板１０が配されている。
【００１７】
コード７及びフラットケーブル２０を介して図示しない電源からランプ管１に電流が供給され、ランプ管１から出射された光は導光板１０に端面から導入される。導光板１０に入光された光は導光板１０の下面にて反射，散乱し、導光板１０内を進みつつ上面から出光される。導光板１０の上方には拡散板，プリズムシート，偏光板などのシート（図示せず）が重ねられており、導光板１０から出光された光はこれらのシートにより拡散，集光が繰り返され、バックライトの上層に配された液晶表示装置（図示せず）を照射するようになっている。
【００１８】
図２は図１に示す領域IIの拡大縦断面図であり、線状光源のランプ管とフラットケーブルとの接続の状態を示している。ランプ管１の図２に示す先端部１１には、先端部１１から突出しない程度に平坦状の導電部１ａが設けられている。導電部１ａはランプ管１の図示しない電極に通電するためのものである。フラットケーブル２０は金属製の芯線２を被覆帯３，３で両側から覆った構造をなし、長さ方向を同じにして被覆帯３上にランプ管１を沿わせており、フラットケーブル２０とランプ管１とは略平行に配されている。フラットケーブル２０の先端側はランプ管１よりも長く延設されている。この延設部分は下層の被覆帯３ａを残し、上層の被覆帯が剥離されて芯線２が露出している。この被覆帯３ａと露出芯２ａとはランプ管１の長さ方向に延出されている。
【００１９】
図２に示すように、フラットケーブル２０及びランプ管１の端部には半田４が被着されている。半田４はフラットケーブル２０の延設部分の被覆帯３ａ上からランプ管１の先端部１１までを覆っており、これにより露出芯２ａとランプ管１の導電部１ａとが電気的に接続されている。被覆帯３ａ及び露出芯２ａとランプ管１の先端部１１との間隔が十分にあるので、半田４の溶着作業が行い易い。
【００２０】
一方、線状光源１００の上述した先端部の反対側では、コード７，７がランプ管１の先端部に設けた導電部とフラットケーブル２０の先端とに夫々直接に接続され、これらのコード７，７は図示しない電源に接続されている（図１参照）。
【００２１】
以上の如き構成の線状光源１００は、ランプ管１の先端部１１でフラットケーブル２０が長さ方向に延設されているので、ランプ管１の先端部１１と露出芯２ａとの間隔が十分にあり、導電部１ａを含む先端部１１と露出芯２ａとを半田４で接続する作業が容易に行なえる。その結果、フラットケーブル２０の破損，変形が防止され、ランプ管１への電流供給が確実に行なえる。
【００２２】
なお、本実施の形態ではランプ管１の一方の先端部１１のみを半田４でフラットケーブル２０に接続している場合を説明しているが、これに限るものではなく、両端側を同様にフラットケーブルに接続する構成にも適用できる。この場合は、フラットケーブル２０の中央側から電流が供給される。
【００２３】
また、本実施の形態ではランプ管１に直管状の蛍光ランプを用いた場合を説明しているが、これに限るものではなく、他の放電ランプを用いても同様の効果を得る。また直管状に限らず、Ｍ字状，Ｕ字状などのランプ管を用いた場合でも同様の効果を得る。
【００２４】
さらに、本実施の形態ではランプ管１として先端部１１に平坦状の導電部１ａが設けられたスペーサタイプを例に挙げて説明しているが、これに限るものではなく、導電部が突出した形状のものにも適用できる。この場合、導電部の先端はフラットケーブルに貫通させずに接続材を被着させる。
【００２５】
さらにまた、本実施の形態では半田４を溶着させることにより、ランプ管１とフラットケーブル２０とを接続しているが、これに限るものではない。例えば電子ビームの照射によりランプ管の導電部を溶融せしめて芯線に融着させてあっても良い。
【００２６】
さらにまた、本実施の形態ではフラットケーブル２０の延設部分は片側の被覆帯３ａで強度を保つ構造を説明しているが、これに限るものではなく、芯線が露出してさえいれば他の補強材を芯線の下側に取り付けてあっても良い。
【００２７】
【発明の効果】
以上のように、本発明においては、ランプ管の先端側でフラットケーブルを長さ方向に延設し、その延設部分とランプ管の先端部分とを覆う態様で接続材を被着させてあるので、ランプ管の導電部と芯線とを接続する作業が容易になり、また導電部をフラットケーブルに貫通せしめる必要がない。その結果、接続作業によるフラットケーブルの破損及び変形を防止でき、芯線と導電部との間の電気的接続を確実にできる等、本発明は優れた効果を奏する。
【図面の簡単な説明】
【図１】本発明に係る光源を用いたバックライトの要部の構成を示す斜視図である。
【図２】図１に示す領域IIの拡大縦断面図である。
【図３】従来のスペーサタイプのランプ管を用いたバックライト用の光源の構造を示す模式的断面図である。
【図４】従来のリードタイプのランプ管を用いたバックライト用の光源の構造を示す模式的断面図である。
【符号の説明】
１  ランプ管
１ａ  導電部
２  芯線
２ａ  延設部分の露出芯
３  被覆帯
３ａ  延設部分の被覆帯
４  半田
１０  導光板
１１  先端部
２０  フラットケーブル
１００  線状光源
【図１】
0004117088.tif 000002
【図２】
0004117088.tif 000003
【図３】
0004117088.tif 000004
【図４】
0004117088.tif 000005